(57)【要約】      （修正有）【課題】皮膚への２次汚染を回避し、皮膚が乾燥しない水槽分離吸取水洗浄型美容機器を提供する。【解決手段】底部シェルと、上部シェルと、洗浄ヘッド７と、水槽８と、水ポンプ１７と、仕切り板１９と、浄水槽２０と、汚水槽２１と、洗浄カバーとを含み、底部シェルと上部シェルは互いに係合され、底部シェルと上部シェルとの間に一端が開口した中空構造が形成され、底部シェルと上部シェルとの開口端に水槽８が密閉に設置され、水槽８内に仕切り板１９が設置され、浄水槽２０と汚水槽２１に分けられ、底部シェルと上部シェルによって形成される中空構造内に底部シェル内に係止固定される水ポンプ１７が設置され、底部シェルの開口端から離れた一端の外側に洗浄ヘッド７が設置され、洗浄ヘッド７は底部シェルの内部に延出し、洗浄ヘッド７に給水管の一端が密閉に接続され、給水管の他端が浄水槽２０に延出する。【選択図】図４
0003227274.tif 000002
【実用新案登録請求の範囲】
【請求項１】
水槽分離吸取水洗浄型美容機器であって、底部シェルと、上部シェルと、洗浄ヘッドと、水槽と、水ポンプと、仕切り板と、浄水槽と、汚水槽と、洗浄カバーとを含み、前記底部シェルと上部シェルは互いに係合され、底部シェルと上部シェルとの間に一端が開口した中空構造が形成され、底部シェルと上部シェルとの開口端に水槽が密閉に設置され、水槽内に仕切り板が設置され、水槽内は浄水槽と汚水槽に分けられ、前記底部シェルと上部シェルによって形成される中空構造内に底部シェル内に係止固定される水ポンプが設置され、前記底部シェルの開口端から離れた一端の外側に洗浄ヘッドが設置され、洗浄ヘッドは底部シェルの内部に延出し、前記洗浄ヘッドに給水管の一端が密閉に接続され、給水管の他端が浄水槽に延出し、前記洗浄ヘッドに返水管の一端が密閉に接続され、返水管の他端が水ポンプの給水口に密閉に接続され、水ポンプの出水口は管路を介して汚水槽に密閉に接続され、前記汚水槽は管路を介して排気孔に密閉に接続され、排気孔は底部シェルに設置され、前記洗浄ヘッドの外端に洗浄カバーが密閉に係合されることを特徴とする水槽分離吸取水洗浄型美容機器。
【請求項２】
前記洗浄ヘッドは一端が開口した中空構造であり、洗浄ヘッドの開口端に縁部が設置され、洗浄ヘッドの開口端は底部シェルに設けられた洗浄ヘッドカバー孔内に係合され、洗浄ヘッドの密閉端の中部に洗浄ヘッド給水接続柱が設置され、洗浄ヘッド給水接続柱は中空構造で洗浄ヘッド給水孔に形成され、洗浄ヘッド給水接続柱は給水管の一端に密閉に嵌合され、前記洗浄ヘッドの密閉端の縁部近傍に洗浄ヘッド排水接続柱が設置され、洗浄ヘッド排水接続柱は中空構造で洗浄ヘッド排水孔に形成され、洗浄ヘッド排水接続柱は返水管の一端に密閉に嵌合され、前記洗浄ヘッドの密閉端の外側に洗浄カバーが密閉に嵌合され、洗浄カバーに洗浄カバー傾斜底部が設置され、洗浄カバー傾斜底部の中部に洗浄カバー給水接続柱が設置され、洗浄カバー給水接続柱は洗浄ヘッド給水孔内に密閉に穿設され、前記洗浄カバー給水接続柱は中空構造で洗浄カバー給水孔に形成され、洗浄カバー傾斜底部の縁部近傍に対称に設けられた洗浄カバー傾斜底部の上排水孔と洗浄カバー傾斜底部の下排水孔が設置され、洗浄カバー傾斜底部の外側の縁部に洗浄カバー凸部が設置され、洗浄カバー傾斜底部の外側にガイド台が設置されることを特徴とする請求項１に記載の水槽分離吸取水洗浄型美容機器。
【請求項３】
前記底部シェルと上部シェルの開口端にコネクタ係止口金が設置され、コネクタ係止口金内にコネクタが係止され、コネクタ内側に浄水給水口接続柱、コネクタ排気接続柱、コネクタ汚水接続柱が設置され、浄水給水口接続柱、コネクタ排気接続柱、コネクタ汚水接続柱はいずれも中空構造であり、浄水給水口接続柱は給水管の一端に密閉に接続され、給水管を介して洗浄ヘッドの洗浄ヘッド給水孔に連通し、コネクタ排気接続柱は管路を介して排気孔に密閉に接続され、コネクタ汚水接続柱は管路を介して水ポンプの出水口に密閉に接続され、前記コネクタの外側に浄水給水口ジャケット、コネクタ汚水孔、コネクタ排気孔が設置され、浄水給水口ジャケットは中空構造であり、浄水給水口ジャケットは浄水給水口接続柱と連通し、浄水給水口ジャケット内に浄水槽の給水管が密閉に嵌合され、コネクタ排気孔はコネクタ排気接続柱と連通し、コネクタ汚水孔はコネクタ汚水接続柱と連通することを特徴とする請求項２に記載の水槽分離吸取水洗浄型美容機器。
【請求項４】
前記コネクタの外側にコネクタ係止溝が設置され、コネクタ係止溝内に汚水口凸部、浄水口凸部が設置され、浄水給水口ジャケットは浄水口凸部内に設置され、コネクタ汚水孔、コネクタ排気孔は汚水口凸部内に設置されることを特徴とする請求項３に記載の水槽分離吸取水洗浄型美容機器。
【請求項５】
前記水槽の上端に浄水槽入口、汚水槽入口が設置され、浄水槽入口は浄水槽と連通し、汚水槽入口は汚水槽と連通し、前記浄水槽入口の縁部に浄水槽入口側縁が設置され、浄水槽入口側縁は締まり嵌めで浄水口凸部外に係合され、汚水槽入口縁部に汚水槽入口側縁が設置され、汚水槽入口側縁は締まり嵌めで汚水口凸部外に係合されることを特徴とする請求項４に記載の水槽分離吸取水洗浄型美容機器。
【請求項６】
前記底部シェルに排気孔接続柱が設置され、排気孔接続柱は中空構造で排気孔に形成され、排気孔接続柱は管路を介してコネクタ排気接続柱に密閉に接続され、さらに汚水槽に連通することを特徴とする請求項５に記載の水槽分離吸取水洗浄型美容機器。
【請求項７】
前記底部シェル内に水ポンプを係止固定するための水ポンプ係止ストリップが設置され、前記底部シェル内にメインボード係止溝が設置され、メインボード係止溝内にメインボードが係止固定され、メインボードは水ポンプに配線で接続され、水ポンプの起動と停止を制御し、前記メインボードの片側に底部シェル内に係止固定された電源が設置され、電源はメインボードに配線で接続され、供電と蓄電に用いられ、前記底部シェルの外壁にインジケーター、電源スイッチが係止され、電源スイッチは本機器の起動と停止を制御し、前記底部シェルの外壁に充電ポートが設置されることを特徴とする請求項３に記載の水槽分離吸取水洗浄型美容機器。
【請求項８】
前記底部シェルと上部シェルの開口端に表示灯が設置され、表示灯はコネクタの外側に延設し、浄水槽、汚水槽と対向して設置され、表示灯は配線でメインボードに接続されることを特徴とする請求項７に記載の水槽分離吸取水洗浄型美容機器。
【請求項９】
使用際に、洗浄カバー４４は人体の皮膚にフィットし、水ポンプ１７が作動され、返水管内に負圧が形成され、さらに洗浄ヘッド７に負圧が形成され、洗浄ヘッド７は給水管を介して浄水槽２０から吸水し、水は洗浄ヘッド７に達した後に、洗浄カバー４４に入り、人体の皮膚を洗浄し、洗浄後の汚水は洗浄ヘッド７を介して返水管に入り、水ポンプ１７を介して汚水槽２１に入り、汚水槽２１内の余分な空気は排気孔３８を介して排出され、最終的に皮膚の汚れの吸取と洗浄の効果を果たす請求項に記載の水槽分離吸取水洗浄型美容機器。
【考案の詳細な説明】
【技術分野】
【０００１】
本考案は、美容器具の技術分野に属し、具体的には、水槽分離吸取水洗浄型美容機器に関する。
【背景技術】
【０００２】
現在、市場に出回っている一般的な皮膚美容機器は、皮膚を直接吸い取り、皮膚の汚れを吸い取る目的を達成している。使用中、皮膚の汚れを直接吸い取ると、皮膚が汚れで２次交差汚染され、皮膚が乾燥になる。
【考案の概要】
【考案が解決しようとする課題】
【０００３】
本考案は、従来技術の上記の欠点を解消し、その構造が科学的に設計され、使いやすく、浄水と汚水が分離され、皮膚にきれいな水を注入することを実現し、汚水循環使用を防止し、皮膚への２次汚染を回避し、同時に水で洗浄し、使用中、皮膚が乾燥しない水槽分離吸取水洗浄型美容機器を提案することを目的とする。
【課題を解決するための手段】
【０００４】
上記設計目的を達成するために、本考案は以下の技術的解決手段を採用する。
【０００５】
水槽分離吸取水洗浄型美容機器であって、底部シェルと、上部シェルと、洗浄ヘッドと、水槽と、水ポンプと、仕切り板と、浄水槽と、汚水槽と、洗浄カバーとを含み、前記底部シェルと上部シェルは互いに係合され、底部シェルと上部シェルとの間に一端が開口した中空構造が形成され、底部シェルと上部シェルとの開口端に水槽が密閉に設置され、水槽内に仕切り板が設置され、水槽内は浄水槽と汚水槽に分けられ、前記底部シェルと上部シェルによって形成される中空構造内に底部シェル内に係止固定される水ポンプが設置され、前記底部シェルの開口端から離れた一端の外側に洗浄ヘッドが設置され、洗浄ヘッドは底部シェルの内部に延出し、前記洗浄ヘッドに給水管の一端が密閉に接続され、給水管の他端が浄水槽に延出し、前記洗浄ヘッドに返水管の一端が密閉に接続され、返水管の他端が水ポンプの給水口に密閉に接続され、水ポンプの出水口は管路を介して汚水槽に密閉に接続され、前記汚水槽は管路を介して排気孔に密閉に接続され、排気孔は底部シェルに設置され、前記洗浄ヘッドの外端に洗浄カバーが密閉に係合され、洗浄カバーは人体の皮膚にフィットして浄水で洗浄するとともに、洗浄後の水が洗浄ヘッドに還流する。
【０００６】
前記洗浄ヘッドは一端が開口した中空構造であり、洗浄ヘッドの開口端に縁部が設置され、洗浄ヘッドの開口端は底部シェルに設けられた洗浄ヘッドカバー孔内に係合され、洗浄ヘッドの密閉端の中部に洗浄ヘッド給水接続柱が設置され、洗浄ヘッド給水接続柱は中空構造で洗浄ヘッド給水孔に形成され、洗浄ヘッド給水接続柱は給水管の一端に密閉に嵌合され、前記洗浄ヘッドの密閉端の縁部近傍に洗浄ヘッド排水接続柱が設置され、洗浄ヘッド排水接続柱は中空構造で洗浄ヘッド排水孔に形成され、洗浄ヘッド排水接続柱は返水管の一端に密閉に嵌合され、前記洗浄ヘッドの密閉端の外側に洗浄カバーが密閉に嵌合され、洗浄カバーに洗浄カバー傾斜底部が設置され、洗浄カバー傾斜底部の中部に洗浄カバー給水接続柱が設置され、洗浄カバー給水接続柱は洗浄ヘッド給水孔内に密閉に穿設され、前記洗浄カバー給水接続柱は中空構造で洗浄カバー給水孔に形成され、洗浄カバー傾斜底部の縁部近傍に対称に設けられた洗浄カバー傾斜底部の上排水孔と洗浄カバー傾斜底部の下排水孔が設置され、洗浄カバー傾斜底部の外側の縁部に洗浄カバー凸部が設置され、洗浄カバー傾斜底部の外側にガイド台が設置される。
【０００７】
前記底部シェルと上部シェルの開口端にコネクタ係止口金が設置され、コネクタ係止口金内にコネクタが係止され、コネクタ内側に浄水給水口接続柱、コネクタ排気接続柱、コネクタ汚水接続柱が設置され、浄水給水口接続柱、コネクタ排気接続柱、コネクタ汚水接続柱はいずれも中空構造であり、浄水給水口接続柱は給水管の一端に密閉に接続され、給水管を介して洗浄ヘッドの洗浄ヘッド給水孔に連通し、コネクタ排気接続柱は管路を介して排気孔に密閉に接続され、コネクタ汚水接続柱は管路を介して水ポンプの出水口に密閉に接続され、前記コネクタの外側に浄水給水口ジャケット、コネクタ汚水孔、コネクタ排気孔が設置され、浄水給水口ジャケットは中空構造であり、浄水給水口ジャケットは浄水給水口接続柱と連通し、浄水給水口ジャケット内に浄水槽の給水管が密閉に嵌合され、コネクタ排気孔はコネクタ排気接続柱と連通し、コネクタ汚水孔はコネクタ汚水接続柱と連通する。
【０００８】
前記コネクタの外側にコネクタ係止溝が設置され、コネクタ係止溝内に汚水口凸部、浄水口凸部が設置され、浄水給水口ジャケットは浄水口凸部内に設置され、コネクタ汚水孔、コネクタ排気孔は汚水口凸部内に設置される。
【０００９】
前記水槽の上端に浄水槽入口、汚水槽入口が設置され、浄水槽入口は浄水槽と連通し、汚水槽入口は汚水槽と連通し、前記浄水槽入口の縁部に浄水槽入口側縁が設置され、浄水槽入口側縁は締まり嵌めで浄水口凸部外に係合され、前記汚水槽入口縁部に汚水槽入口側縁が設置され、汚水槽入口側縁は締まり嵌めで汚水口凸部外に係合される。
【００１０】
前記洗浄ヘッドの密閉端近傍の外壁にゴム輪が設置される。
【００１１】
前記底部シェルに設けられた洗浄ヘッドカバー孔の外側に洗浄ヘッドカバー孔凸部が設置される。
【００１２】
前記底部シェルに排気孔接続柱が設置され、排気孔接続柱は中空構造で排気孔に形成され、排気孔接続柱は管路を介してコネクタ排気接続柱に密閉に接続され、さらに汚水槽に連通する。
【００１３】
前記底部シェル内に水ポンプを係止固定するための水ポンプ係止ストリップが設置され、前記底部シェル内にメインボード係止溝が設置され、メインボード係止溝内にメインボードが係止固定され、メインボードは水ポンプに配線で接続され、水ポンプの起動と停止を制御し、前記メインボードの片側に底部シェル内に係止固定された電源が設置され、電源はメインボードに配線で接続され、供電と蓄電に用いられ、前記底部シェルの外壁にインジケーター、電源スイッチが係止され、電源スイッチは本機器の起動と停止を制御し、前記底部シェルの外壁に充電ポートが設置される。
【００１４】
前記底部シェルと上部シェルの開口端に表示灯が設置され、表示灯はコネクタの外側に延設し、浄水槽、汚水槽と対向して設置され、表示灯は配線でメインボードに接続される。
【００１５】
前記底部シェル内に上部シェルを締め付けるためのネジ柱が設置される。
【００１６】
前記上部シェル外壁に装飾ケースが設置され、前記底部シェルと上部シェルの開口端に装飾カバーが外嵌される。
【考案の効果】
【００１７】
本考案に係る水槽分離吸取水洗浄型美容機器は、構造が科学的に設計され、使いやすく、浄水と汚水が分離され、皮膚にきれいな水を注入することを実現し、汚水循環使用を防止し、皮膚への２次汚染を回避し、同時に水で皮膚を洗浄し、使用中、皮膚が乾燥しないという効果を有する。
【図面の簡単な説明】
【００１８】
【図１】本考案に係る水槽分離吸取水洗浄型美容機器の概略図である。
【図２】本考案に係る水槽分離吸取水洗浄型美容機器の側面図である。
【図３】本考案に係る水槽分離吸取水洗浄型美容機器の底部シェルの概略図である。
【図４】本考案に係る水槽分離吸取水洗浄型美容機器の底部シェルに取り付けられた水ポンプ、コネクタの概略図である。
【図５】本考案に係る水槽分離吸取水洗浄型美容機器の洗浄ヘッド、洗浄カバーの組み立ての概略図である。
【図６】本考案に係る水槽分離吸取水洗浄型美容機器の洗浄カバーの概略図である。
【図７】本考案に係る水槽分離吸取水洗浄型美容機器のコネクタの水槽が接続された片側の概略図である。
【図８】本考案に係る水槽分離吸取水洗浄型美容機器のコネクタの底板が接続された片側の概略図である。
【図９】本考案に係る水槽分離吸取水洗浄型美容機器の水槽の断面図である。
【図１０】本考案に係る水槽分離吸取水洗浄型美容機器の水槽の上面図である。
【図１１】本考案に係る水槽分離吸取水洗浄型美容機器の作動原理図である。
【考案を実施するための形態】
【００１９】
以下、本考案の実施例における図面と結合して、本考案の実施例における技術的解決手段を明確で完全に説明する。
【００２０】
具体的な構成は図１−１１に示すように、前記水槽分離吸取水洗浄型美容機器は、底部シェル１と、上部シェル２と、洗浄ヘッド７と、水槽８と、水ポンプ１７と、仕切り板１９と、浄水槽２０と、汚水槽２１と、洗浄カバー４４とを含み、前記底部シェル１と上部シェル２は互いに係合され、底部シェル１と上部シェル２との間に一端が開口した中空構造が形成され、底部シェル１と上部シェル２との開口端に水槽８が密閉に設置され、水槽８内に仕切り板１９が設置され、水槽８内は浄水槽２０と汚水槽２１に分けられ、浄水と汚水をそれぞれ貯留するために用いられ、前記底部シェル１と上部シェル２によって形成される中空構造内に底部シェル１内に係止固定される水ポンプ１７が設置され、前記底部シェル１の開口端から離れた一端の外側に洗浄ヘッド７が設置され、洗浄ヘッド７は底部シェル１の内部に延出し、前記洗浄ヘッド７に給水管の一端が密閉に接続され、給水管の他端が浄水槽２０に延出し、前記洗浄ヘッド７に返水管の一端が密閉に接続され、返水管の他端が水ポンプ１７の給水口に密閉に接続され、水ポンプ１７の出水口は管路を介して汚水槽２１に密閉に接続され、前記汚水槽２１は管路を介して排気孔３８に密閉に接続され、排気孔３８は底部シェル１に設置され、前記洗浄ヘッド７の外端に洗浄カバー４４が密閉に係合され、洗浄カバー４４は人体の皮膚にフィットして浄水で洗浄するとともに、洗浄後の水が洗浄ヘッド７に還流し、使用際に、洗浄カバー４４は人体の皮膚にフィットし、水ポンプ１７が作動され、返水管内に負圧が形成され、さらに洗浄ヘッド７に負圧が形成され、洗浄ヘッド７は給水管を介して浄水槽２０から吸水し、水は洗浄ヘッド７に達した後に、洗浄カバー４４に入り、人体の皮膚を洗浄し、洗浄後の汚水は洗浄ヘッド７を介して返水管に入り、水ポンプ１７を介して汚水槽２１に入り、汚水槽２１内の余分な空気は排気孔３８を介して排出される。
【００２１】
前記洗浄ヘッド７は一端が開口した中空構造であり、洗浄ヘッド７の開口端に縁部が設置され、洗浄ヘッド７の開口端は底部シェル１に設けられた洗浄ヘッドカバー孔１０内に係合され、ネジで締め付けられ、洗浄ヘッド７の密閉端の中部に洗浄ヘッド給水接続柱４０が設置され、洗浄ヘッド給水接続柱４０は中空構造で洗浄ヘッド給水孔４１に形成され、洗浄ヘッド給水接続柱４０は給水管の一端に密閉に嵌合され、前記洗浄ヘッド７の密閉端の縁部近傍に洗浄ヘッド排水接続柱４３が設置され、洗浄ヘッド排水接続柱４３は中空構造で洗浄ヘッド排水孔４２に形成され、洗浄ヘッド排水接続柱４３は返水管の一端に密閉に嵌合され、前記洗浄ヘッド７の密閉端の外側に洗浄カバー４４が密閉に嵌合され、洗浄カバー４４は軟質ゴム材質であり、洗浄カバー４４に洗浄カバー傾斜底部５０が設置され、洗浄カバー傾斜底部５０の中部に洗浄カバー給水接続柱４６が設置され、洗浄カバー給水接続柱４６は洗浄ヘッド給水孔４１内に密閉に穿設され、前記洗浄カバー給水接続柱４６は中空構造で洗浄カバー給水孔４７に形成され、洗浄カバー傾斜底部５０の縁部近傍に対称に設けられた洗浄カバー傾斜底部の上排水孔４８と洗浄カバー傾斜底部の下排水孔４９が設置され、洗浄カバー傾斜底部５０の外側の縁部に洗浄カバー凸部４５が設置され、洗浄カバー凸部４５は人体にフィットするために用いられるもので、洗浄カバー傾斜底部５０の外側にガイド台３５が設置され、使用際に、浄水は給水管から洗浄ヘッド給水孔４１に入り、続いて洗浄カバー給水孔４７に入り、最終的に洗浄カバー凸部４５内に至り、ガイド台３５に沿って洗浄カバー傾斜底部の上排水孔４８、洗浄カバー傾斜底部の下排水孔４９に流れ、洗浄カバー傾斜底部の上排水孔４８、洗浄カバー傾斜底部の下排水孔４９から洗浄ヘッド排水孔４２に入り、返水管により回収される。
【００２２】
前記底部シェル１と上部シェル２の開口端にコネクタ係止口金１６が設置され、コネクタ係止口金１６内にコネクタ１８が係止され、コネクタ１８は軟質ゴム材質であり、コネクタ１８内側に浄水給水口接続柱３２、コネクタ排気接続柱３３、コネクタ汚水接続柱３４が設置され、浄水給水口接続柱３２、コネクタ排気接続柱３３、コネクタ汚水接続柱３４はいずれも中空構造であり、浄水給水口接続柱３２は給水管の一端に密閉に接続され、給水管を介して洗浄ヘッド７の洗浄ヘッド給水孔４１に連通し、コネクタ排気接続柱３３は管路を介して排気孔３８に密閉に接続され、コネクタ汚水接続柱３４は管路を介して水ポンプ１７の出水口に密閉に接続され、前記コネクタ１８の外側に浄水給水口ジャケット２９、コネクタ汚水孔３０、コネクタ排気孔３１が設置され、浄水給水口ジャケット２９は中空構造であり、浄水給水口ジャケット２９は浄水給水口接続柱３２と連通し、浄水給水口ジャケット２９内に浄水槽２０の給水管が密閉に嵌合され、コネクタ排気孔３１はコネクタ排気接続柱３３と連通し、コネクタ汚水孔３０はコネクタ汚水接続柱３４と連通する。
【００２３】
前記コネクタ１８の外側にコネクタ係止溝２６が設置され、コネクタ係止溝２６内に汚水口凸部２７、浄水口凸部２８が設置され、浄水給水口ジャケット２９は浄水口凸部２８内に設置され、コネクタ汚水孔３０、コネクタ排気孔３１は汚水口凸部２７内に設置される。
【００２４】
前記水槽８の上端に浄水槽入口２２、汚水槽入口２３が設置され、浄水槽入口２２は浄水槽２０と連通し、汚水槽入口２３は汚水槽２１と連通し、前記浄水槽入口２２の縁部に浄水槽入口側縁２４が設置され、浄水槽入口側縁２４は締まり嵌めで浄水口凸部２８外に係合され、前記汚水槽入口２３縁部に汚水槽入口側縁２５が設置され、汚水槽入口側縁２５は締まり嵌めで汚水口凸部２７外に係合される。
【００２５】
前記洗浄ヘッド７の密閉端近傍の外壁にゴム輪３９が設置され、ゴム輪３９で洗浄ヘッド７と洗浄カバー４４の密閉性を向上させる。
【００２６】
前記底部シェル１に設けられた洗浄ヘッドカバー孔１０の外側に洗浄ヘッドカバー孔凸部３６が設置される。
【００２７】
前記底部シェル１に排気孔接続柱３７が設置され、排気孔接続柱３７は中空構造で排気孔３８に形成され、排気孔接続柱３７は管路を介してコネクタ排気接続柱３３に密閉に接続され、さらに汚水槽２１に連通する。
【００２８】
前記底部シェル１内に水ポンプ１７を係止固定するための水ポンプ係止ストリップ１５が設置され、前記底部シェル１内にメインボード係止溝１２が設置され、メインボード係止溝１２内にメインボード１４が係止固定され、メインボードは水ポンプ１７に配線で接続され、水ポンプ１７の起動と停止を制御し、前記メインボード１４の片側に底部シェル１内に係止固定された電源１３が設置され、電源１３はメインボード１４に配線で接続され、供電と蓄電に用いられ、前記底部シェル１の外壁にインジケーター４、電源スイッチ５が係止され、インジケーターは１速（緑色）、２速（青色）、３速（赤色）の３速を表示し、電源スイッチ５は本機器の起動と停止を制御し、前記底部シェル１の外壁に電源コードを接続して電源１３を充電するための充電ポート６が設置される。
【００２９】
前記底部シェル１と上部シェル２の開口端に表示灯が設置され、表示灯はコネクタ１８の外側に延設し、浄水槽２０、汚水槽２１と対向して設置され、表示灯は配線でメインボード１４に接続され、表示灯は夜間使用時に水槽を照らすために用いられる。
【００３０】
前記底部シェル１内にネジを締め付けて上部シェル２をさらに締め付けるためのネジ柱１１が設置される。
【００３１】
前記上部シェル２外壁に装飾のための装飾ケース３が設置される。
【００３２】
前記底部シェル１と上部シェル２の開口端に装飾のための装飾カバー９が外嵌される。
【００３３】
以上は、具体的な好ましい実施形態を結合して本考案をさらに詳細に説明したが、当業者が本考案を容易に理解し適用するもので、本考案の具体的な実施形態がこれらの説明に限定されることを認めるものではない。本考案が属する技術分野における通常の技術者にとって、本考案の概念から逸脱することなく、いくつかの簡単な展開又は置換を創造的な労力を経ることなく行うことができる。したがって、当業者は、本考案の開示に基づいて、本考案に対する簡単な改良を本考案の保護範囲内に含まれるべきである。
【図１】
0003227274.tif 000003
【図２】
0003227274.tif 000004
【図３】
0003227274.tif 000005
【図４】
0003227274.tif 000006
【図５】
0003227274.tif 000007
【図６】
0003227274.tif 000008
【図７】
0003227274.tif 000009
【図８】
0003227274.tif 000010
【図９】
0003227274.tif 000011
【図１０】
0003227274.tif 000012
【図１１】
0003227274.tif 000013
【手続補正書】
【提出日】令和2年5月5日(2020.5.5)
【手続補正１】
【補正対象書類名】実用新案登録請求の範囲
【補正対象項目名】全文
【補正方法】変更
【補正の内容】
【実用新案登録請求の範囲】
【請求項１】
水槽分離吸取水洗浄型美容機器であって、底部シェルと、上部シェルと、洗浄ヘッドと、水槽と、水ポンプと、仕切り板と、浄水槽と、汚水槽と、洗浄カバーとを含み、前記底部シェルと上部シェルは互いに係合され、底部シェルと上部シェルとの間に一端が開口した中空構造が形成され、底部シェルと上部シェルとの開口端に水槽が密閉に設置され、水槽内に仕切り板が設置され、水槽内は浄水槽と汚水槽に分けられ、前記底部シェルと上部シェルによって形成される中空構造内に底部シェル内に係止固定される水ポンプが設置され、前記底部シェルの開口端から離れた一端の外側に洗浄ヘッドが設置され、洗浄ヘッドは底部シェルの内部に延出し、前記洗浄ヘッドに給水管の一端が密閉に接続され、給水管の他端が浄水槽に延出し、前記洗浄ヘッドに返水管の一端が密閉に接続され、返水管の他端が水ポンプの給水口に密閉に接続され、水ポンプの出水口は管路を介して汚水槽に密閉に接続され、前記汚水槽は管路を介して排気孔に密閉に接続され、排気孔は底部シェルに設置され、前記洗浄ヘッドの外端に洗浄カバーが密閉に係合されることを特徴とする水槽分離吸取水洗浄型美容機器。
【請求項２】
前記洗浄ヘッドは一端が開口した中空構造であり、洗浄ヘッドの開口端に縁部が設置され、洗浄ヘッドの開口端は底部シェルに設けられた洗浄ヘッドカバー孔内に係合され、洗浄ヘッドの密閉端の中部に洗浄ヘッド給水接続柱が設置され、洗浄ヘッド給水接続柱は中空構造で洗浄ヘッド給水孔に形成され、洗浄ヘッド給水接続柱は給水管の一端に密閉に嵌合され、前記洗浄ヘッドの密閉端の縁部近傍に洗浄ヘッド排水接続柱が設置され、洗浄ヘッド排水接続柱は中空構造で洗浄ヘッド排水孔に形成され、洗浄ヘッド排水接続柱は返水管の一端に密閉に嵌合され、前記洗浄ヘッドの密閉端の外側に洗浄カバーが密閉に嵌合され、洗浄カバーに洗浄カバー傾斜底部が設置され、洗浄カバー傾斜底部の中部に洗浄カバー給水接続柱が設置され、洗浄カバー給水接続柱は洗浄ヘッド給水孔内に密閉に穿設され、前記洗浄カバー給水接続柱は中空構造で洗浄カバー給水孔に形成され、洗浄カバー傾斜底部の縁部近傍に対称に設けられた洗浄カバー傾斜底部の上排水孔と洗浄カバー傾斜底部の下排水孔が設置され、洗浄カバー傾斜底部の外側の縁部に洗浄カバー凸部が設置され、洗浄カバー傾斜底部の外側にガイド台が設置されることを特徴とする請求項１に記載の水槽分離吸取水洗浄型美容機器。
【請求項３】
前記底部シェルと上部シェルの開口端にコネクタ係止口金が設置され、コネクタ係止口金内にコネクタが係止され、コネクタ内側に浄水給水口接続柱、コネクタ排気接続柱、コネクタ汚水接続柱が設置され、浄水給水口接続柱、コネクタ排気接続柱、コネクタ汚水接続柱はいずれも中空構造であり、浄水給水口接続柱は給水管の一端に密閉に接続され、給水管を介して洗浄ヘッドの洗浄ヘッド給水孔に連通し、コネクタ排気接続柱は管路を介して排気孔に密閉に接続され、コネクタ汚水接続柱は管路を介して水ポンプの出水口に密閉に接続され、前記コネクタの外側に浄水給水口ジャケット、コネクタ汚水孔、コネクタ排気孔が設置され、浄水給水口ジャケットは中空構造であり、浄水給水口ジャケットは浄水給水口接続柱と連通し、浄水給水口ジャケット内に浄水槽の給水管が密閉に嵌合され、コネクタ排気孔はコネクタ排気接続柱と連通し、コネクタ汚水孔はコネクタ汚水接続柱と連通することを特徴とする請求項２に記載の水槽分離吸取水洗浄型美容機器。
【請求項４】
前記コネクタの外側にコネクタ係止溝が設置され、コネクタ係止溝内に汚水口凸部、浄水口凸部が設置され、浄水給水口ジャケットは浄水口凸部内に設置され、コネクタ汚水孔、コネクタ排気孔は汚水口凸部内に設置されることを特徴とする請求項３に記載の水槽分離吸取水洗浄型美容機器。
【請求項５】
前記水槽の上端に浄水槽入口、汚水槽入口が設置され、浄水槽入口は浄水槽と連通し、汚水槽入口は汚水槽と連通し、前記浄水槽入口の縁部に浄水槽入口側縁が設置され、浄水槽入口側縁は締まり嵌めで浄水口凸部外に係合され、汚水槽入口縁部に汚水槽入口側縁が設置され、汚水槽入口側縁は締まり嵌めで汚水口凸部外に係合されることを特徴とする請求項４に記載の水槽分離吸取水洗浄型美容機器。
【請求項６】
前記底部シェルに排気孔接続柱が設置され、排気孔接続柱は中空構造で排気孔に形成され、排気孔接続柱は管路を介してコネクタ排気接続柱に密閉に接続され、さらに汚水槽に連通することを特徴とする請求項５に記載の水槽分離吸取水洗浄型美容機器。
【請求項７】
前記底部シェル内に水ポンプを係止固定するための水ポンプ係止ストリップが設置され、前記底部シェル内にメインボード係止溝が設置され、メインボード係止溝内にメインボードが係止固定され、メインボードは水ポンプに配線で接続され、水ポンプの起動と停止を制御し、前記メインボードの片側に底部シェル内に係止固定された電源が設置され、電源はメインボードに配線で接続され、供電と蓄電に用いられ、前記底部シェルの外壁にインジケーター、電源スイッチが係止され、電源スイッチは本機器の起動と停止を制御し、前記底部シェルの外壁に充電ポートが設置されることを特徴とする請求項３に記載の水槽分離吸取水洗浄型美容機器。
【請求項８】
前記底部シェルと上部シェルの開口端に表示灯が設置され、表示灯はコネクタの外側に延設し、浄水槽、汚水槽と対向して設置され、表示灯は配線でメインボードに接続されることを特徴とする請求項７に記載の水槽分離吸取水洗浄型美容機器。